(57)【要約】【課題】通気性の良好なベビーカーを提供する。【解決手段】ベビーカー１０は、手押し杆１５と、一対の前脚１２と、一対の後脚１４とを有するベビーカー本体１０ａと、ベビーカー本体１０ａに設置されたベースシート５２と、ベースシート５２上に設けられた脱着シート３０ａとを備えている。ベースシート５２はベース座部５２ａとベース背部５２ｂとを有している。ベースシート５２のうちベース背部５２ｂはメッシュ構造体からなっている。【選択図】  図３
2004216944.tif 000002
【特許請求の範囲】
【請求項１】
手押し杆と、一対の後脚と、一対の前脚とを有するベビーカー本体と、
ベビーカー本体に設置され、ベース座部およびベース背部を含むベースシートと、
ベースシート上に配置され座部および背部を含む脱着シートとを備え、
ベースシートはメッシュ構造体からなることを特徴とするベビーカー。
【請求項２】
メッシュ構造体は合成樹脂材からなり、平均３．５ｍｍの通気孔を有することを特徴とする請求項１記載のベビーカー。
【請求項３】
ベースシートのベース背部は、メッシュ構造体からなることを特徴とする請求項１記載のベビーカー。
【発明の詳細な説明】
【０００１】
【発明の目的】
本発明はベビーカー本体と、ベビーカー本体上に設置されたベースシートおよび脱着シートとを有するベビーカーに関する。
【０００２】
【従来の技術】
従来よりベビーカー本体と、このベビーカー本体上に設置されたベースシートと、ベースシート上に設けられた脱着シートとを有するベビーカーが知られている。
【０００３】
このうち、ベースシートはベース座部とベース背部とを有し、ベースシート上に配置される脱着シートは座部と背部とを有している。この場合、脱着シートの座部はベース座部により支持され、脱着シートの背部はベース背部により支持される。
【０００４】
【発明が解決しようとする課題】
上述のようにベビーカー本体上にベースシートと脱着シートが配置されるが、このうちベースシートは厚手の合成樹脂材により構成され、脱着シートは薄手の合成樹脂材により構成される。このようにベースシートは厚手の合成樹脂材からなっているため通気性に問題があり、ベビーカーに乗せられた幼児が汗をかき易くなっている。
【０００５】
本発明はこのような点を考慮してなされたものであり、通気性を向上させることができるベビーカーを提供することを目的とする。
【０００６】
【課題を解決するための手段】
本発明は、手押し車と、一対の後脚と、一対の前脚とを有するベビーカー本体と、ベビーカー本体に設置され、ベース座部およびベース背部を含むベースシートと、ベースシート上に設置され座部および背部を含む脱着シートとを備え、ベースシートはメッシュ構造体からなることを特徴とするベビーカーである。
【０００７】
本発明は、メッシュ構造体は合成樹脂材からなり、平均３．５ｍｍの通気孔を有することを特徴とするベビーカーである。
【０００８】
本発明は、ベースシートのベース背部は、メッシュ構造体からなることを特徴とするベビーカーである。
【０００９】
【発明の実施の形態】
以下、図面を参照して本発明の実施の形態について説明する。
図１乃至図４は本発明によるベビーカーの一実施の形態を示す図である。
図１に示すようにベビーカー１０は、双輪式の前輪１１を有する左右一対の前脚１２と、双輪式の後輪１３を有する左右一対の後脚１４と、ほぼ逆Ｕ字状に屈曲された手押し杆１５と、左右一対のアームレスト１６とを備えている。
【００１０】
手押し杆１５は左右一対のパイプ１７を有し、左右のパイプ１７の下端近傍には、それぞれ上記アームレスト１６の一端が枢着されており、そのアームレスト１６の他端部に前脚１２の頂端部が枢着されている。
【００１１】
また、左右の後脚１４の頂端部はアームレスト１６の中間部に枢着されており、後脚１４の中間部にはく字状に屈曲されたブラケット１８の一端が枢着されている。そして、そのブラケット１８に前記手押し杆１５を構成するパイプ１７の先端がそれぞれ枢着されている。ベビーカー１０の展開状態において、上記ブラケット１８の他端に上記パイプ１７の下端部に摺動可能に枢着されたロック部材１９が係合し、その展開状態を維持するようにしてある。
【００１２】
一方、左右の前脚１２はフートレスト２０が設けられた前側連結バー２１によって連結されており、左右の後脚１４は後側連結バー２２により連結されている。また一方の前脚１２と一方の後脚１４との間および他方の前脚１２を他方の後脚１４との間に連結バー（図示せず）が設けられている。
【００１３】
なお、上記構成部材、すなわち双輪式の前輪１１を有する左右一対の前脚１２と、双輪式の後輪１３を有する左右一対の後脚１４と、手押し杆１５と、一対のアームレスト１６とによりベビーカー本体１０ａが構成されている。この場合、一対の後脚１４の双輪式の後輪１３には、ストッパ１３ａが取付けられている。
【００１４】
また図３および図４に示すように、ベビーカー本体１０ａには、ベース座部５２ａとベース背部５２ｂとを一体に有するベースシート５２が取付けられており、さらにベースシート５２上には、座部３０と背部３２とを一体に有する脱着シート３０ａが設置されている。
【００１５】
さらに、一対のアームレスト１６の前端側には、ガイドレール３１が取付けられており、また、前側連結バー２１にも一対のヒンジ２１ａが設けられている。なお、ガイドレール３１は薄板状の金属板を軟質合成樹脂で覆うことにより構成されている。さらに後側連結バー２２も一対のヒンジ２２ａを有している。また手押し杆１５は、その上部に操作装置２８を有し、この操作装置２８の両端にはヒンジ１５ａが形成されている。
【００１６】
さらに座部３０の挿通口３０ｂから腹ベルト３６が延び、この腹ベルト３６はベース座部５２ａに取付けられている。腹ベルト３６はシートベルト３７とバックル３８により接続されている。
【００１７】
また、アームレスト１６の手押し杆１５側には、幌３４を支持するフレーム３５が揺動自在に取付けられている。また座部３０の下方には、バスケットＢが取付けられている。
【００１８】
次に座部３０と背部３２とを一体に有する脱着シート３０ａと、ベース座部５２ａとベース背部５２ｂとを一体に有するベースシート５２について、図３および図４により更に詳述する。
【００１９】
座部３０と背部３２は、脱着シート３０ａにより一体に構成されており、この脱着シート３０ａはベビーカー本体１０ａに支持されたベースシート５２上に配置されている。すなわちベースシート５２はベース座部５２ａとベース背部５２ｂとを有し、このうちベース座部５２ａにより脱着シート３０ａの座部３０が支持され、ベース背部５２ｂにより脱着シート３０ａの背部３２が支持される。
【００２０】
またベースシート５２のベース座部５２ａは、前脚１２と後脚１４とを連結する連結バーに取付けられた座部支持機構により支持され、さらにベースシート５２のベース背部５２ｂは保持フラップ５３により手押し杆１５のパイプ１７に固定されている。
【００２１】
次に脱着シート３０ａとベースシート５２の材料について述べる。脱着シート３０ａは全体として、薄手の材料、例えばニット生地からなっている。またベースシート５２のうちベース座部５２ａは合成樹脂材、例えばポリエステル生地からなり、一方ベース背部５２ｂはポリエステル製のメッシュ構造体からなっている。ベース背部５２ｂのメッシュ構造体は３．５ｍｍ径の通気孔を有し、このため背部３２近傍における通気性を向上させることができる。
【００２２】
なお、ベースシート５２のうち、ベース座部５２ａおよびベース背部５２ｂの双方をメッシュ構造体により形成してもよい。
【００２３】
しかして、図１に示すベビーカー１０において、パイプ１７の下端に設けられたロック部材１９をブラケット１８の上端に係合することによって、ベビーカー１０が使用可能な展開状態に保持される。
【００２４】
一方、手押し杆１５に設けられている操作装置２８を操作することによりロック部材１９とブラケット１８との係合を解除する。このときアームレスト１６および連結バー２４がパイプ１７との枢着点を中心として上方に揺動可能となり、前脚１２と後脚１４とがほぼ平行状態に揺動され、携帯等に便利なように折り畳むことができる。
【００２５】
また、手押し杆１５、前側連結バー２１、後側連結バー２２およびガイドレール３１は、２つの同一垂直面内において各々ヒンジ１５ａ、２１ａ、２２ａ、３１ａにより折り畳み可能としてあり、また座部支持機構は屈曲可能なベルトにより形成されている。したがって、上述のように前脚１２と後脚１４を平行状態に折り畳んだ後、左右のパイプ１７を前方に移動させると、上記手押し杆１５、前側連結バー２１、後側連結バー２２、およびガイドレール３１の両端部が前方にコ字状に折り曲げられ、ベビーカー１０を図２に示すようにさらにコンパクトに折り畳むことができる。
【００２６】
以上述べたように、本実施の形態によればベースシート５２のベース背部５２ｂはメッシュ構造体からなっているので、背部３２近傍における通気性を向上させることができる。例えばベースシート全体を厚手の非通気性の合成樹脂材料で作製した場合に比較して、背部３２近傍の通気性を格段に向上させることができる。
【００２７】
【発明の効果】
以上説明したように本発明によれば、ベースシートをメッシュ構造体から構成したので、ベースシートの通気性を格段に向上させることができる。
【図面の簡単な説明】
【図１】本発明によるベビーカーの実施の形態を示す斜視図。
【図２】ベビーカーを折り畳んだ状態を示す図。
【図３】ベビーカー本体とベースシートとを示す斜視図。
【図４】脱着シートを示す斜視図。
【符号の説明】
１０  ベビーカー
１１  前輪
１２  前脚
１３  後輪
１４  後脚
１５  手押し杆
１６  アームレスト
３０  座部
３０ａ  脱着シート
３１  背部
５２  ベースシート
５２ａ  ベース座部
５２ｂ  ベース背部
【図１】
2004216944.tif 000003
【図２】
2004216944.tif 000004
【図３】
2004216944.tif 000005
【図４】
2004216944.tif 000006